(57)【要約】【課題】筒周りがゆったりサイズの布製筒状体を丸首の保温着本体に縫合した保温着において、前記布製筒状体に弛み防止用耳掛け穴を備えなくても、風邪予防効果と快眠効果を奏する保温着を大幅なコストアップを伴うことなく提供すること。【解決手段】保温着は、利用者２の肩から耳付近までの長さで、その最大筒周りが利用者の頭周りより１割から２割程度大きく且つその最小筒周りが利用者の頭周りと同程度のサイズの布製漏斗状体２０を丸首の綿ジャージー製保温着本体１０に縫合して構成されている。そして、布製漏斗状体２０は高い伸縮方向を縦に且つ二重にした綿ジャージー生地の前側衿部材２１と弛み防止用キルティング２２ａが施された後側衿部材２２の２枚の布部材を縫合して形成されたものである。【選択図】図２
2010222715.tif 000002
【特許請求の範囲】
【請求項１】
長さが利用者の肩から耳付近まで且つその筒周りが利用者の頭周りより１割から２割程度大きい布製筒状体を丸い衿ぐりを備えた保温着本体に縫合して構成された保温着において、前記布製筒状体は高い伸縮方向を縦に且つ二重にしたジャージー生地の前側衿部材と後側衿部材の少なくとも２枚の布部材を縫合して形成されたものであって、前記後側衿部材若しくは前記前側衿部材には弛み防止用キルティングが施されていることを特徴とする保温着。
【請求項２】
前記ジャージー生地は純綿又は綿混紡のジャージー生地であることを特徴とする請求項１に記載の保温着。
【請求項３】
前記布製保温着本体はキルティングが施された保温用肩当てを有するものであることを特徴とする請求項１に記載の保温着。
【発明の詳細な説明】
【技術分野】
【０００１】
本発明は、主に就寝時に単独で又はパジャマと重ねて着用する保温着に関する。
【背景技術】
【０００２】
特許文献１と特許文献２には、本願の出願人によって開発された着脱容易で、圧迫感のない快適な着用感が得られ、且つ、就寝時に利用者の首を快適に保温する従来の保温着が記載されている。前記従来の保温着は、利用者の肩から耳付近までの長さで筒周りがゆったりサイズの綿ジャージー製タートルネック部を丸首の綿ジャージー製保温着本体に縫合した保温着であって、前記綿ジャージー製タートルネック部を高い伸縮方向を縦に且つ二重にした綿ジャージー生地で形成した漏斗状体としたこと、及び前記漏斗状体の上端部に一対の耳掛け穴を形成したことを特徴とするものである。
【０００３】
前記従来の保温着を着用すると、前記漏斗状体の下半分は利用者の首をゆったりカバーするネックウォーマーとして機能し、同時に前記漏斗状体の上半分は前記一対の弛み防止用耳掛け穴が掛けられた両耳と顎の３点で安定的に支持され、利用者の鼻と口と両頬を被う大きなフェイスマスク、或いは口と両頬を被う大きなフェイスマスクとして機能する。更に、前記綿ジャージー製保温着本体は、利用者の肩部と腹部を保温するように機能する。
【０００４】
上述の機能を有するために、前記従来の保温着には当然ながら風邪予防効果と保湿効果が認められた。ところが、開発者が予想もしなかった快眠効果が、前記従来の保温着にあることが判明した。そこで、眠いときには赤ちゃんの手足がぽかぽか暖かくなるという事実に着目し、睡眠と体温との関係を生理学等の文献を参考にして調べた結果、睡眠には体温調節が深く関わっていることが分かった。このような観点から更に詳しく調べたところ、前記従来の保温着が奏する快眠効果のしくみは以下の如くであると確信するに至った。
【０００５】
人は眠ろうとするとき、主に手足の皮膚から熱を放散させ身体の内部の体温（深部体温）を下げるように体温調節を行う。睡眠時の体温調節システムは、深部体温を監視している温度センサの信号に基づいて、脳の体温調節中枢が動静脈吻合（ＡＶＡ）の開閉を制御し、手足の皮膚の血液の流量を変化させて行うフィードバック制御システムであると言われている。これに対して覚醒時の体温調節システムは、環境温度を監視している温度センサの信号その他の信号に基づいて、脳の体温調節中枢が筋肉を拡張又は収縮させて血液の流量を変化させたり、産熱量を変化させたり、発汗量を変化させたりして行う複雑なシステムである。
【０００６】
覚醒時の体温調節システムから睡眠時の体温調節システムへのモード切り替えは、皮膚に分布している皮膚温センサの信号に基づいて行われると考えられる。人は布団に入ると、首の付近まで布団に包まれる。このため、外気に曝された顔に分布している皮膚温センサを除く全ての皮膚温センサが、暑くも寒くもないという環境温度、即ち２７℃〜３１℃の中性温度域であるという信号を脳の体温調節中枢に送る。すると、脳の体温調節中枢は覚醒時の体温調節システムから睡眠時の体温調節システムへのモード切り替えを行うと考えられる。この暑くも寒くもないという環境温度はと呼ばれている。
【０００７】
大多数の人は布団に入るだけで上述のモード切り替えができるから、寝付きの良い人である。しかしながら、寝付きが悪い、熟睡できない、夜中に何度も起きてトイレに行くなどの睡眠の悩みを抱えている人は、布団に入るだけでは上述のモード切り替えが出来ないのであると考えられる。
【０００８】
そこで、このような睡眠の悩みを抱えている数十人に前記従来の保温着を着用し布団に入って睡眠を試してもらったところ、９割以上の人から「布団に入ると数分後に足の裏が急速に温まり始め、いつの間にか寝入ってしまった。」、「眠りが深くなった。」、「夜中にトイレに起きなくなった。」、「夜中にトイレに起きた後でも、直ぐに眠れるようになった。」などの表現で、快眠効果をあるとの回答があった。
【０００９】
前記従来の保温着を着用すると、ゆったりサイズの綿ジャージー製タートルネック部と利用者の首の周りとの間に厚さ数ｍｍ〜数ｃｍの略環状の厚い空気層が形成される。このため、利用者の首は外気から遮断され、同時に利用者の皮膚から放散される体熱が前記略環状の厚い空気層に閉じ込められ、利用者の首の表面温度が中性温度域に保たれるのである。従って、布団に入るだけでは上述のモード切り替えが出来ない人も、前記従来の保温着を着用すると首部も布団の中にある身体の他の部位と同じように中性温度域にあり、脳の体温調節中枢は覚醒時の体温調節システムから睡眠時の体温調節システムへのモード切り替えを行うのであると考えられる。
【００１０】
ところで、冬に厚手の衣服を着用すれば、前記衣服が冷気から身体を遮断し、同時に皮膚から放散する体熱を衣服内に閉じ込め、これによって身体の防寒ができる。その上に、マフラーを首に巻くと手足が温まるという現象は良く知られている。この現象は、マフラーを首に巻くことで首の皮膚温が中性温度域に入り、身体の他の部位の皮膚温が既に中性温度域にあることと相俟って、脳の温度調節中枢が手足の動静脈吻合を開き、手足の皮膚血管に大量の血液を流したために起こるものである。しかしながら、この手足の動静脈吻合が開き続けることはなく、しばらくすると閉じるものと考えられる。何故なら、開き続けると、深部体温が下がり続けて生面の危険に陥るからである。要するに、複雑な覚醒時の体温調節の一環として、手足の動静脈吻合の開閉がなされるのである。なお、動静脈吻合による体温調節システムは非特許文献１の論文「ＡＶＡ血流量と熱放散システム」に詳細に記載されているが、特許文献３、特許文献４及び特許文献５にも簡単な記載がある。
【００１１】
上述の現象から理解されるように、マフラーやタオルを首に巻いて布団に入ると、手足の動静脈吻合を開き、手足が温まって気持ちよく寝付くことができる。タートルネックセーターや、タートルネックインナーウエア、或いはネックウォーマーを着て布団に入っても、同じように寝付くことができる。しかしながら、これらは快眠グッズとして広く使われることは無い。これらを着用して就寝すると、夜中に目が覚めたり、寝苦しかったりするためである。
【００１２】
人間の皮膚には皮膚音センサの他に皮膚圧センサも多数分布している。マフラー、タオル、タートルネック、又はネックウォーマーは、必然的に首を圧迫する。人間の脳は、覚醒時には、これらは危険でないこと理解している。しかしながら、人間の防御本能に鑑みれば、睡眠時には首を絞められると判断するものと考えられる。このため、マフラー、タオル、タートルネック、又はネックウォーマーを着用して眠ると、夜中に目が覚めたり、寝苦しかったりするのである。また、マフラーやタオルは、睡眠中に利用者が寝返りを打ったりするので、首から外れたり位置ズレしたりする。すると、首の表面の一部が冷気に触れ、その箇所の皮膚温センサが中性温度域よりも低くなったという信号を脳の体温調節中枢に送る。すると、脳の体温調節中枢は手足の動静脈吻合を直ちに閉じ、深部体温の低下を防ぐような働きをする。その結果、手足の皮膚からの体熱の放散が低下し、手足の体温が下がり、目が覚めることになる。
【００１３】
上記の従来の保温着を着用して就寝した場合、そのゆったりサイズの綿ジャージー製タートルネック部は、就寝時に首から外れたり位置ズレしたりすることもなく、首に圧迫感を与えることもない。ところが、一部のモニターから弛み防止用耳掛け穴に関して問題点が提起された。それは、耳の位置と耳掛け穴の取り付け位置が合わない、耳の大きさと耳掛け穴のサイズが合わない、耳掛け穴を使用すると耳に負担を感じるなどである。顔と耳のサイズ、首の長さは人によってかなり違うので、当然の問題提起である。この問題は、オーダーメードで対応するか、出来るだけ多数のサイズを揃えることで概ね解決できる。しかしながら、これらの対応策は製品のコストアップを伴うので、現実的ではない。
【先行技術文献】
【特許文献】
【００１４】
【特許文献１】特許第４１８７７８４号公報
【特許文献２】実用新案登録３１４５２１０号公報
【特許文献３】特開２００１−１２０５７２号公報
【特許文献４】特表２００７−５１６０２３号公報
【特許文献５】特開２００８−７５９７５号公報
【非特許文献】
【００１５】
【非特許文献１】平田耕造、井上芳光、近藤徳彦編集「体温」、有限会社ナップ出版、２００２年
【発明の概要】
【発明が解決しようとする課題】
【００１６】
本発明が解決しようとする課題は、筒周りがゆったりサイズの布製筒状体を丸首の保温着本体に縫合した保温着において、前記布製筒状体に弛み防止用耳掛け穴を備えなくても、風邪予防効果と快眠効果を奏する保温着を大幅なコストアップを伴うことなく提供することである。
【課題を解決するための手段】
【００１７】
上述の課題を解決する保温着は、高い伸縮方向を縦に且つ二重にしたジャージー生地で形成され、その長さが利用者の肩から耳付近まで且つその筒周りが利用者の頭周りより１割から２割程度大きいサイズの布製筒状体を、丸首の保温着本体に縫合して構成された保温着において、前記布製筒状体に弛み防止用キルティングを施したことを特徴とするものである。
【発明の効果】
【００１８】
本発明により、風邪予防効果と快眠効果を奏する保温着を大幅なコストアップを伴うことなく提供することができた。
また、本発明により、顔と耳のサイズ、首の長さに対応して多数のサイズの布製筒状体を用意する必要がなくなった。
【図面の簡単な説明】
【００１９】
【図１】実施例１の保温着の正面図である。
【図２】実施例１の保温着の背面図である。
【発明を実施するための形態】
【００２０】
本発明の保温着は、高い伸縮方向を縦に且つ二重にした綿ジャージー生地で形成され、そのサイズが利用者の肩から耳付近までの長さで、その筒周りが利用者の頭周りより１割から２割程度大きいサイズの布製筒状体を丸首の保温着本体に縫合して構成された保温着において、前記布製筒状体に弛み防止用キルティングを施したことを特徴とするものである。
【実施例１】
【００２１】
本発明の実施例１の保温着は、図１と図２に示す如く、弛み防止用キルティング２２ａが施された布製漏斗状体２０を丸首の綿ジャージー製保温着本体１０に縫合して構成された保温着である。布製漏斗状体２０は、二重にした生地で形成され、そのサイズが利用者の肩から耳付近までの長さで、その筒周りが利用者の頭周りより１割から２割程度大きいサイズの布製筒状体、即ち、ゆったりサイズの布製筒状体である。
【００２２】
布製漏斗状体２０は、前側衿部材２１と後側衿部材２２で形成されている。前側衿部材２１は、綿ジャージー生地を前側衿部材の型紙に合わせてカッティングした布部材２枚を重ね合わせたものである。また、後側衿部材２２は、上記と同じ綿ジャージー生地を後側衿部材の型紙に合わせてカッティングした布部材２枚を芯材を挟んで重ね合わせ、弛み防止用キルティング２２ａを施したものである。弛み防止用キルティング２２ａは、実施例１では斜め格子状であるが、既知の様々なパターンのものを採用することができる。
【００２３】
布製漏斗状体２０は、前側衿部材２１と後側衿部材２２の対応する左右の側縁部を凡そ１０ｍｍ程度重ね合わせて縫合し、更に前記前側衿部材２１の上端縁部と後側衿部材２２の上端縁部を凡そ１０ｍｍ程度折り返して縫合して製作されている。
【００２４】
前側衿部材２１と後側衿部材２２の左右の側縁部を重ねて縫い合わせした部分、即ち布部材縫合部２０ｂ，２０ｂは、生地が四重又は六重になっている。また、布製漏斗状体２０の上側開口端部２０ａも生地が四重になっている。
【００２５】
布製漏斗状体２０の長さは、利用者の肩から耳付近までの長さである。また、その最大筒周りは利用者の頭周りより１割から２割程度大きいサイズである。更に、その最小筒周りは利用者の頭周りと同程度のサイズである。布製漏斗状体２０は、上述の如く筒周りがゆったりサイズであるので、市販のタートルネックセーターのタートルネック部よりも一回り乃至二回りも大きなタートルネック部である。
【００２６】
実施例１では、弛み防止用キルティング２２ａは、後側衿部材２２に施されている。しかしながら、弛み防止用キルティング２２ａは、マスクとしても機能する前側衿部材２１に施されても良い。この場合は、利用者の口が当たる前側衿部材２１の内側部分にフラットな柔らかい布片を縫い付けることが望ましい。更に、弛み防止用キルティング２２ａは、前側衿部材２１と後側衿部材２２の双方に施されてもよい。この場合も、利用者の口が当たる前側衿部材２１の内側部分にフラットな柔らかい布片を縫い付けることが望ましい。
【００２７】
布製漏斗状体２０は、二重にした生地で形成され且つ後側衿部材にはキルティングが施されているから、着脱や洗濯を繰り返しても、その筒回りが拡大し難く、従って布製漏斗状体２０の最初からの形状を概ね保持し続けることができる。
【００２８】
布製漏斗状体２０の上方への位置ずれを防止する丸首の保温着本体１０は、高い伸縮方向を横に且つ一重にした綿ジャージー生地で形成され、保温着本体部１１、衿ぐり１２，１２、及び腕の付け根付近まで延伸した肩カバー部１４，１４を備え、下端部１５が利用者２の臀部付近までの長さの丸首の綿ジャージーの着衣である。肩カバー部１４，１４には保温用キルティング１４ａが施されている。下端部１５は、綿ジャージー生地が凡そ１０ｍｍ程度折り返され、且つ縫合されている。
【００２９】
上述の如く製作された布製漏斗状体２０の下端開口端２０ｃを保温着本体１０の衿ぐり１２に縫い付ければ、実施例１の保温着が完成する。従って、保温着は構成及び製作工程は簡単であり、低コストで製作できる。また、布製筒状体２０に耳掛け穴を備えないので、顔と耳のサイズ、首の長さは人によってかなり違うことに対応するために多数のサイズの保温着を揃える必要がなくなったので、この観点からも本発明に係る保温着はコストダウンを実現するものである。なお、実施例１の保温着は布製筒状体２０に弛み防止用キルティング２２ａを施したものであるが、これによるコストアップは耳掛け穴を形成する手間が不要になったことによるコストダウンと相殺される。
【００３０】
以上、構成について詳細に説明した通り、本発明に係る保温着は、高い伸縮方向を縦に且つ二重にしたジャージー生地で形成された筒周りがゆったりサイズの布製筒状体を丸首の保温着本体に縫合した保温着において、前記布製筒状体に弛み防止用耳掛け穴を備えずに弛み防止用キルティングを施したものである。なお、ジャージー生地は純綿ジャージー生地が最適であるが、綿と他の繊維との混紡のジャージー生地であってもよい。以下、実施例１の保温着の特徴的作用効果等について詳細に説明する。
【００３１】
実施例１の保温着は、綿ジャージー生地の高い伸縮方向を縦にし、且つ二重にして製作した布製漏斗状体２０を備えるものであるから、特許文献１と２に記載する保温着と同じく、弛み難いものである。しかしながら、耳掛け穴を有しないので、実施例１の保温着を着用すると、利用者が身体を起こした状態では布製漏斗状体２０は下方に弛む。ところが、弛み防止用キルティング２２ａのために、布製漏斗状体２０の縦方向の縮みの程度は少なく２ｃｍ〜３ｃｍ程である。換言すれば、利用者が身体を起こした状態でも、布製漏斗状体２０の前側衿部材２１の上端は、利用者の口と鼻の間まで首方向に移動するだけである。
【００３２】
布製漏斗状体２０の下側は最小筒周りの筒状部であるが、その筒周りは利用者の頭周りと同程度のサイズ、例えば５８ｃｍである。これに対して、カバーされる利用者の首周りは、例えば３５ｃｍである。この筒周りと首周りの間には２３ｃｍの大きな差が存在するために、利用者が身体を起こした状態でも布団に仰臥した状態でも、布製漏斗状体２０の前側は利用者の首の周りで二つ乃至四つ程度の大きな皺を形成する。他方、布製漏斗状体２０の上側は最大筒周りと最小筒周りの間の筒周りサイズであり、その前側衿部材２１の上側は利用者の口をその周囲の両頬に柔らかく当接し、当接箇所で皺になったり弛んだりすることはない。
【００３３】
（保温着の快眠効果）
実施例１の保温着の快適な保温機能は、主に、布製漏斗状体２０と利用者の首の間に形成された筒状空気層によって達成される。この筒状空気層には、首の表面から放散される体熱が貯留される。これは寒雀や脹ら雀と呼ばれる雀の防寒方法、即ち、脹らませた羽根の中に体熱を溜めることによって寒さから身を守る方法と同じである。
【００３４】
このようにして貯留された体熱によって利用者の首の周りの温度は２７℃〜３１℃の中性温度域に保持される。すると、利用者の首の皮膚温センサは中性温度域であるという信号を脳の体温調節中枢に送る。この時点では、布団内にある利用者の他の部位の皮膚温センサからは、中性温度域であるという信号が脳の体温調節中枢に送られている。従って、覚醒時の体温調節システムから睡眠時の体温調節システムへのモード切り替えが直ちに行われることになる。
【００３５】
事実、実施例１の保温着を着用して布団に入り数分間経過すると、足の裏側がじんわりと温まる。これは足の裏側の皮膚にある動静脈吻合が開いて大量の血液が細動脈から細静脈に直に流れ込み、この大量の血液によって身体の内部から運ばれてきた温かい体熱が皮膚の表面から大量に放散したためである。この熱の大量の放散により、布団の中が徐々に温まってくるのを感じていると、知らない間に寝入ってしまう。
【００３６】
動静脈吻合が開き続けると、皮膚温は上昇し続け、逆に深部体温は低下し続ける。深部体温が設定値よりも下がると、体温調節中枢は動静脈吻合を閉じて血液の流量を減らし、皮膚の表面からの熱の放散量を下げ、深部体温を上げる。動静脈吻合を閉じ続けると、深部体温が設定値を超える。すると、体温調節中枢は動静脈吻合を開いて血液の流量を増やし、皮膚の表面からの熱の放散量を上げ、深部体温を下げる。このように、睡眠時の体温調節は、時間と共に所定の変化を行う設定値と深部体温を監視している温度センサの信号に基づいて、脳の体温調節中枢が動静脈吻合の開閉を制御し、手足の皮膚の血液の流量を変化させて行うフィードバック制御であると考えられる。
【００３７】
人は快眠した場合、深部体温は入眠時の概ね３７．５℃から寝覚めまでの間に概ね３６．５℃まで徐々に低下する。本発明に係る保温着を着用して布団に入ると快眠できるのは、睡眠時の体温調節システムを正常に働かせて上述の深部体温の時間的変化を実現しているからであると考えられる。そして、睡眠時の体温調節システムが正常に働くのは、本発明に係る保温着の布製漏斗状体２０と利用者の首の間に形成された筒状空気層に利用者の体熱が貯留され、首の皮膚温が睡眠中に中性温度域に保持されるからであると考えられる。
【００３８】
ところで、上述の快眠効果を奏するための着用方法は、肌着の上に保温着を着用する方法、肌着の上に保温着を着用し更にその上にパジャマの上着を重ねる方法、或いはパジャマを着用し、その上に保温着を重ねる方法のいずれでもよいことが分かった。また、このような保温着の着用方法であっても、靴下を履いて就寝すること、電気毛布や電気アンカを一晩中使用し続けることは快眠効果を阻害することも分かった。上述の動静脈吻合を開閉して行う体温調節システムが適切に働かないためと考えられる。
【００３９】
（省エネ効果）
また、上述の快眠効果を奏するための寝室環境は、基本的には自然のままが望ましい。寝室を暖房機で一晩中暖房し続けると、保温着の布製漏斗状体２０と利用者の首の間に形成された筒状空気層の温度が上昇し、利用者の首の皮膚温が中性温度域を超えるから、上述の動静脈吻合を開閉して行う体温調節システムが正常に働かなくなる。但し、就寝前に寝室を暖めておくことは人によっては望ましいことである。このように、本発明に係る保温着を着用して就寝すると、基本的には睡眠時の概ね８時間に暖房機を全く使う必要がないので、消費電力を大幅に削減できる。従って、本発明に係る保温着は快眠効果と併せて省エネ効果をも奏するのである。
【００４０】
（風邪予防効果）
保温着を着用して布団に入ると、布製漏斗状体２０と利用者の首の間に形成された筒状空気層に利用者の体熱と水分が貯留され、首の皮膚温が睡眠中に中性温度域に保持される。このため、首の周りが適切に保温されると共に保湿される。なお、前記水分は、首の皮膚から発汗し蒸発したものである。
【００４１】
また、保温着を着用すると、利用者が身体を起こした状態でも布団に仰臥した状態でも、布製漏斗状体２０の前側は利用者の首の周りで二つ乃至四つ程度の大きな皺を形成するが、その前側衿部材２１の上側は利用者の口とその周囲の両頬に柔らかく当接し当接箇所で皺になったり弛んだりすることはない。このため保温着を着用し、布団に仰臥した状態では、布製漏斗状体２０の前側衿部材２１の上側は大型マスクとして機能する。
【００４２】
上述の保温着の風邪予防効果は、上述の如く、布製漏斗状体２０による周りの適切な保温・保湿機能、及び布製漏斗状体２０による大型マスク機能によりもたらされるものと考えられる。この他に、快眠効果の副次的効果として知られる免疫力向上も風邪予防効果に関わっていると考えられる。
【符号の説明】
【００４３】
１０  保温着本体
１１  本体部
１２  衿ぐり
１３  袖ぐり
１４  肩カバー部
１４ａ  保温用キルティング
１５  下端部
２０  布製筒状体
２０ａ  上側開口端部
２０ｂ  布部材縫合部
２０ｃ  下側開口端部
２１  前側衿部材
２２  後側衿部材
２２ａ  弛み防止用キルティング
【図１】
2010222715.tif 000003
【図２】
2010222715.tif 000004